(57)【特許請求の範囲】
【請求項１】
装着者が食事のときに食べこぼしたものや飲みこぼしたものによって、衣服への汚れを防ぐために着衣する介護エプロンであって、
前記使用者の首に掛ける紐部と、
前記紐部の間に形成された前掛け部と、
前記前掛け部の上端に設けた首受け部と、
前記前掛け部の前面に設けられ上端に開口を持つ袋状の受け部と、
前記受け部の開口周長に略等しい長さの短冊シート部と、前記短冊シートの端部同士を組み合わせる締結部を備えた開口維持体を備え、
前記受け部の側面をマチ付き構造として前記前掛け部から前記マチに相当する分を引き出し可能な構成とし、
使用前は、前記前掛け部と前記受け部を平面的に一体化されているとともに、
使用時は、前記受け部を前記前掛け部より前方に引き出し、前記開口維持体を投入して引き出し袋状態に変形可能なものとしたことを特徴とする介護エプロン。
【請求項２】
装着者が食事のときに食べこぼしたものや飲みこぼしたものによって、衣服への汚れを防ぐために着衣する介護エプロンであって、
前記使用者の首に掛ける紐部と、
前記紐部の間に形成された前掛け部と、
前記前掛け部の上端に設けた首受け部と、
前記前掛け部の前面に設けられ上端に開口を持つ袋状の受け部と、
前記受け部の側面に設けられたマチ付き構造と、前記受け部の上端の少なくとも前記マチ付き構造の一部を前記前掛け部に融着した融着部と、前記融着部またはその下方に切開箇所を備え、
前記使用前は、前記融着部を介して前記前掛け部と前記受け部が平面的に一体化されているとともに、
使用時は、前記切開箇所より切開することにより、前記受け部の前記前掛け部への融着を外して前方に引き出し、引き出し袋状態に変形可能なものとしたことを特徴とする介護エプロン。
【請求項３】
前記受け部の上方に前記前掛け部の上部の前面にまで延設した受け部の上部体を備え、
前記受け部の上部体の両端付近に縦方向に設けた縦切開支援部を備え、
前記使用時に、前記縦切開支援部を上端から所望の長さ切開し、前記所望の長さ切開した箇所からマチ付き構造を左右外側に切開することにより、前記受け部の上部体を前記切開にかかる長さ分下方に垂らし、前記縦切開支援部の切開終了部分を高さ調整開口として形成することができる請求項１または２に記載の介護エプロン。
【発明の詳細な説明】
【技術分野】
【０００１】
本発明は、使用者が食事のとき等に装着することにより飲食物の食べこぼし等の下方への落下を防止し、衣服等の汚れを防止するための介護エプロンに関するものである。
【背景技術】
【０００２】
従来の介護エプロンは、通常のエプロンや、よだれ掛けと同様、首に掛ける紐と平面的なエプロン本体を備えたものが一般的であり、タオル地などで水分を吸収して捉えることにより、下方への落下を防止したり、衣服への転着を防止したりするものであった。
しかし、そのようなタオル地のものは、使い捨てではなく、飲食物の食べこぼし等により汚れた状態となれば洗濯により洗浄するタイプのものであり、その後処理が手間であった。
また、エプロン本体が単なる布であるので、大きな食べこぼしが落下したときは平面では捉えきれず、下方に落下し、ズボンや椅子や床面を汚してしまうことがしばしばあった。
また、高齢者や身体障害者は食べ物を口に含んだまま首を傾けるなどの動きをとることがあり、エプロン本体がずれてしまうことがあった。
【０００３】
上記従来の課題に対応するため、従来技術として、例えば、実用新案登録第３１６６３３３号（特許文献１）、特開２０１５−０８１４０６号公報（特許文献２）に開示されたものが知られている。
図１１（ａ）は、実用新案登録第３１６６３３３号（特許文献１）の構造、図１１（ｂ）は、特開２０１５−０８１４０６号公報（特許文献２）の構造を示す図である。
特許文献１は、首元の紐を引いて縮めてシャーリング状を形成して、固定させて、食べこぼし防止の受け皿をつくって使用するものである。
特許文献２は、エプロン前掛け部に合成樹脂板を使用して、成形加工により食べこぼしを滑らかに下に流すための傾斜角度を変えることができる傾斜部と、伝い洩れ防止用の折返し部と、受け皿部と、穴部と、紐部と、ループエンドと、首あてチューブを備えたエプロンである。
【０００４】
【特許文献１】実用新案登録第３１６６３３３号
【特許文献２】特開２０１５−０８１４０６号公報
【発明の開示】
【発明が解決しようとする課題】
【０００５】
しかし、上記のような従来の介護エプロンには問題があった。
特許文献１に記載の介護エプロンは、紐を引いてシャーリング状の袋を形成するものであるが、シャーリングの開口が立体的なものとならず、開口が前方に向けて突出して立体的な受け口を形成するためには、剛性のあるワイヤーのようなものとする必要がある。剛性のあるワイヤーなどを用いればコストが高くなる上、一つ一つが嵩張るものとなり、常備するために持ち運びするには不便なものとなってしまうという問題があった。
【０００６】
特許文献２に記載の介護エプロンは、前掛け部１に対して受け皿部４を設け、紐部６を引いて板状の受け皿部４を起こして行くものであるが、実質的に受け口の開口を形成している部分は受け皿部４自体である。そのためある程度の径の受け口の開口を形成するには、受け皿部４自体を立体的に箱状に奥行きの大きなものとする必要がある。つまり、受け皿部４自体が箱状のものとなってしまい、一つ一つが嵩張るものとなり、常備するために持ち運びするには不便なものとなってしまうという問題があった。
また、受け皿部４を前掛け部１に対して立ち上がらせるため受け皿部４および前掛け部１を剛性の大きいものとする必要があるが、特許文献２ではプラスチック樹脂製のトレイのようなものを想定している。このようなものは使い捨てとはならず、使用後に水洗いして再利用することを前提としており、その後清掃が非常に手間であるという問題があった。
【０００７】
そこで、上記課題を解決するため、本発明は、すべてを薄手状のシート素材で形成し、使用前には折り畳んでコンパクトな形で収納でき常時持ち運びに便利なものとする。例えば、コンパクトな形に折り畳んだものを複数枚を重ねて持ち運び、そのうちの一枚を取り出して使用できるような可搬性を提供する。
また、使用時には受け部の開口を拡径することができるものとし、立体的な受け口を簡単に形成でき、食べこぼしの受け止めを確実に行えるような機能を提供する。
【課題を解決するための手段】
【０００８】
上記目的を達成するため、本発明の介護用エプロンは、装着者が食事のときに食べこぼしたものや飲みこぼしたものによって、衣服への汚れを防ぐために着衣する介護エプロンであって、前記使用者の首に掛ける紐部と、前記紐部の間に形成された前掛け部と、前記前掛け部の上端に設けた首受け部と、前記前掛け部の前面に設けられ上端に開口を持つ袋状の受け部と、前記受け部の開口周長に略等しい長さの短冊シート部と、前記短冊シートの端部同士を組み合わせる締結部を備えた開口維持体を備え、前記受け部の側面をマチ付き構造として前記前掛け部から前記マチに相当する分を引き出し可能な構成とし、使用前は、前記前掛け部と前記受け部を平面的に一体化されているとともに、使用時は、前記受け部を前記前掛け部より前方に引き出し、前記開口維持体を投入して引き出し袋状態に変形可能なものとしたことを特徴とする介護エプロンである。
【０００９】
上記構成により、使用前には受け部のマチを折り畳んで前掛け部に対して沿わせた形、つまり平面状に収めることができ、全体が平面的になる。すべての要素がシート状素材であれば、さらに複数回折り畳む事により小さく薄いものになり、常時携帯に便利である。使用時には全体を平面的に展開した後、受け部を前掛け部より前方に引き出して受け部のマチを拡げることにより引き出し袋のように引き出して開口を拡げ、立体的な受け部を簡単に形成できる。
【００１０】
また、本発明の介護用エプロンは、前記使用者の首に掛ける紐部と、前記紐部の間に形成された前掛け部と、前記前掛け部の上端に設けた首受け部と、前記前掛け部の前面に設けられ上端に開口を持つ袋状の受け部と、前記受け部の側面に設けられたマチ付き構造と、受け部の上端の少なくともマチ付き構造の一部を前掛け部に融着した融着部を設け、さらに融着部またはその下方に切開箇所を設けた構成とし、使用前は、前記融着部を介して前記前掛け部と前記受け部との一体化が維持されているとともに、使用時に切開箇所より切開することにより、受け部の前掛け部への融着を外して前方に引き出し、引き出し袋状態に変形可能なものとしたことを特徴とする介護エプロンである。
上記構成により、使用前は融着部によって確実に前掛け部と受け部との一体化を維持してコンパクトな状態を維持できる。また、使用時には切開箇所より切開することにより受け部の前掛け部への融着を外して前方に引き出すことができる。
【００１１】
次に、上記構成において、前記受け部の開口周長に略等しい長さの短冊シート部と、前記短冊シートの端部同士を組み合わせる締結部を備えた開口維持体を備え、前記短冊シートの前記端部同士の締結部を組み合わせてリング状の開口維持体を形成し、前記使用時に、前記開口維持体を前記受け部の内部に投入し、前記受け部の前記開口を開けた状態を維持せしめることができる構成であることが好ましい。
開口維持体は例えば厚紙などの単なる短冊状のものであり、簡単にリング状のものを形成でき、そのリング状のものを受け部内に投入することにより、確実に受け部を立体的に膨らませて開口を大きく開いた状態を簡単に維持できる。
【００１２】
また、上記構成において、前記受け部に前記前掛け部の上部の前面にまで延設した受け部の上部体を備え、前記受け部の上部体の両端付近に縦方向に設けた縦切開支援部を備え、前記使用時に、前記縦切開支援部を上端から所望の長さ切開し、前記受け部の上部体を前記切開にかかる長さ分下方に垂らし、前記縦切開支援部の切開終了部分を高さ調整開口として形成することができる構成であることが好ましい。
上記構成によれば、縦切開支援部の切開をどこまで行うかによって、簡単に受け部の形成高さを可変とすることができる。受け部の開口を高くしたければ、縦切開支援部の切開を大きくしなければ、受け部の開口位置が高い状態に形成できる。受け部の開口を少し低くしたければ、縦切開支援部の切開を大きくすれば、受け部の開口位置を低い状態に形成できる。
【発明の効果】
【００１３】
本発明にかかる介護用エプロンによれば、使用前には平面状に収めることができ、すべての要素がシート状素材であれば、さらに複数回折り畳む事により小さく薄いものになり、常時携帯に便利である。使用時には受け部を前掛け部より前方に引き出して受け部のマチを拡げることにより引き出し袋のように引き出して開口を拡げ、立体的な受け部を簡単に形成できる。
開口維持体を用いれば、確実に受け部を立体的に膨らませて開口を大きく開いた状態を簡単に維持できる。
受け部の高さを高いものとした上で縦切開支援部を設ければ、縦切開支援部の切開をどこまで行うかによって、簡単に受け部の形成高さを可変とすることができる。
【図面の簡単な説明】
【００１４】
【図１】実施例１にかかる本発明の介護用エプロンの使用前の状態における構造を示す図（平面図）である。
【図２】実施例１にかかる本発明の介護用エプロンの使用前の状態における構造を示す図（側面図）である。
【図３】切開箇所１６０を切開した状態を簡単に示す図である。
【図４】受け部１４０を前掛け部１１０から前方に引き出した様子を簡単に示す図である。
【図５】装着者に対して本発明の介護エプロン１００を装着した状態を示した図である。
【図６】実施例２にかかる介護エプロン１００ａの使用前の状態における構造を示す図（平面図）である。
【図７】使用時直前に切開箇所１６０を切開し、縦切開支援部１４３ａを上端から所望の長さ分を切開した様子を示す図である。
【図８】図７のように切開した状態において、受け部１４０ａを前方に引き出した様子を示す図である。
【図９】実施例３にかかる介護エプロン１００ｂの構成例を示した図である。
【図１０】開口維持体１７０ｂをリング状にし、受け部１４０の内部に投入した状態を示した図である。
【図１１】（ａ）は従来の実用新案登録第３１６６３３３号（特許文献１）の構造、（ｂ）は特開２０１５−０８１４０６号公報（特許文献２）の構造を示す図である。
【発明を実施するための最良の形態】
【００１５】
以下、本発明の介護用エプロンの実施例を説明する。なお、本発明はこれらの実施例に限定されるものではない。
以下、実施例１として、基本構造に加え、融着部と切開箇所を設けた構成例を示し、実施例２として縦切開支援部を設けて受け部の高さを調整できる構成例を示し、実施例３として開口維持体を付加して受け部の開口を確実に開かせる工夫をした構成例を示す。
【実施例１】
【００１６】
以下、本発明に係る介護用エプロンの構成例を、図面を参照しながら説明する。
図１は、実施例１にかかる本発明の介護用エプロンを示す図である。
図１は平面図、図２は側面図となっている。
この構成例では、各要素が撥水性のあるシート状素材、例えば、ナイロンやポリプロピレンのような撥水性と柔軟性のあるプラスチック樹脂素材で形成されたものとする。
このようなシート素材で形成することにより、全体を図２に示すような平面的なシート状のものとすることができる。また、折り畳み状態を図示しないが簡単に複数回折り畳むことにより小さくコンパクトに収めることができるものとなっている。
【００１７】
図１に示すように、本発明の介護用エプロン１００は、前掛け部１１０、紐部１２０、首受け部１３０、受け部１４０、開口１４１、マチ付き構造１４２、融着部１５０、切開箇所１６０を具備している。全体が上記したように、撥水性と柔軟性のあるプラスチック樹脂素材で形成されたものとする。
【００１８】
まず、前掛け部１１０を説明する。
前掛け部１１０は、一枚のシート状素材であり装着者の首元から腹あたりまでカバーできる大きさのものとする。なお、前掛け部の高さをもっと小さくし、装着時に首元から胸元までカバーできる程度の大きさにすることも可能である。
前掛け部１１０は、いわゆる“前掛け”として機能しうる。
【００１９】
次に、紐部１２０は、前掛け部１１０の両端付近に設けられ、前掛け部１１０よりも上方に突出した長さを持っており、装着者の首回りに回して結ぶことができる程度の長さが確保されているものとする。
紐部１２０は、ある程度の長さと細さが確保されておれば、簡単に首後ろで紐を結ぶが如く結ぶことができるため特段の付加構造は必要ないが、付加構造を設けても良い。例えば、紐体１２０の先端同士に粘着部を設けておけば両者を簡単に接着することができる。また、面ファスナー（マジックテープ）を設けておけば、両者を簡単に接合することができる。
【００２０】
次に、首受け部１３０は、前掛け部１１０の上端付近に設けられたもので、装着者の首元に沿うものとなっている。装着者の口元から食べこぼしが落下した際に首元に伝え落ちることがあるため、前掛け部１１０の上端は首元をカバーできるものであることが好ましいので、このような首受け部１３０を設けておくことは有利である。
【００２１】
受け部１４０は、前掛け部１１０の前面に設けられ、上端に開口１４１を持つ袋状のものである。また、受け部１４０の側方にはマチ付き構造１４２を備えたものとなっている。
この例では、受け部１４０の高さは前掛け部１１０のやや下方に設けられており、図１の例では、その高さは胸元から腹あたりに設けられている例となっている。
受け部１４０の側面はマチ付き構造１４２となっており前掛け部１１０からマチに相当する分を引き出し可能な構成となっている。受け部１４０を前掛け部１１０から前方に引き出した様子は図４に示したものである。この点は後述する。
【００２２】
次に、融着部１５０は、受け部１４０の上端の少なくともマチ部分の一部に設けられたものであり、受け部１４０上端のマチ部分の一部を前掛け部１１０に対して融着せしめたものである。前掛け部１１０と受け部１４０の両者ともプラスチック樹脂素材であれば、熱により簡単に両者を融着することができる。
このように融着部１５０を設けて融着することにより、マチ付き構造１４２のマチが拡がることなく、使用前の状態において、図２の側面図に示すように、前掛け部１１０と受け部１４０を平面的に一体化された状態に収めることができる。
なお、この融着部１５０はオプションであり、基本構造としてはこの融着部１５０を設けない構成があり得る。折り畳んだ状態で重ね合せていればコンパクトな状態を保つことができる。
【００２３】
切開箇所１６０は、融着部１５０またはその下方に設けられたものであり、切開しやすいようになっている。切開支援の構造としては限定されないが、例えば、切れ込みがあり、弱い接着がなされており、指で引けば簡単に剥離する状態とした構造がある。また、例えば、破線状に断続した切れ込み、いわゆるミシン目が設けられ、指で引くことにより簡単に切れ込みが広がる構造がある。いずれの構造であっても、使用時直前に当該切開箇所１６０より切開することにより、受け部１４０の開口を前掛け部１１０から遊離し、受け部１４０を前方に引き出すことができる構造となっている。マチ付き構造１４２が設けられているため、受け部１４０を前掛け部１１０より引き出せば、引き出し袋状態に変形可能となる。
なお、この切開箇所１６０は、融着部１５０を設けた際に必要となるオプション部分であり、基本構造としては融着部１５０と切開箇所１６０は省略することができる。
【００２４】
上記説明した介護エプロン１００の使用時の展開手順の一例を示す。
まず、図１の状態に平面状に展開する。
次に、図３の状態に示すように、切開箇所１６０を切開し、受け部１４０上端の開口１４１を前掛け部１１０から自由にするとともに、マチ付き構造１４２も拡径可能な状態とする。
次に、図４に示すように、マチ付き構造１４２のマチを拡げ、前掛け部１１０から受け部１４０を前方に引き出す。この状態になれば、受け部１４０がいわゆる引き出し袋のように前掛け部１４０から前方に引き出された立体的な構造となり、開口１４１が拡がる。
【００２５】
図５は、装着者に対して本発明の介護エプロン１００を装着した状態を示した図である。紐部１２０を首に回して首後ろなどで締結して装着せしめ、受け部１４０が前方に引き出されているので装着者の食べこぼしを確実に受け止めるものとなっている。
【００２６】
以上、本発明にかかる介護用エプロン１００によれば、使用前には平面状に収めることができ、すべての要素がシート状素材であれば、さらに複数回折り畳む事により小さく薄いものになり、常時携帯に便利なものとして提供できる。また、使用時には受け部１４０を前掛け部１１０より前方に引き出して受け部１４０のマチ付き構造１４２のマチを拡げることにより引き出し袋のように引き出して開口を拡げ、立体的な受け部１４０を簡単に形成できる。
【実施例２】
【００２７】
実施例２として、簡単に受け部１４０が形成される高さを可変とした構成例を述べる。なお、以下の説明において実施例１と異なる部分について説明し、実施例１と同様で良い部分の説明は適宜省略する。
【００２８】
図６は、実施例２にかかる介護エプロン１００ａの構成例を示した図である。
図６に示すように、実施例２にかかる介護エプロン１００ａは、実施例１と同様、前掛け部１１０、紐部１２０、首受け部１３０、受け部１４０ａ、開口１４１ａ、マチ付き構造１４２ａ、縦切開支援部１４３ａ、融着部１５０、切開箇所１６０を具備し、全体が撥水性と柔軟性のあるプラスチック樹脂素材で形成されたものとする。
なお、前掛け部１１０、紐部１２０、首受け部１３０、融着部１５０、切開箇所１６０は実施例１に示した構成と同様で良いのでここでの説明は省略する。
【００２９】
実施例２の構成では、受け部１４０ａは、開口１４１ａ、マチ付き構造１４２ａ、縦切開支援部１４３ａを備えている。さらに受け部１４０ａの上方には受け部上部体１４４ａが延設されている。
【００３０】
この構成例では受け部上部体１４４ａは前掛け部１１０と同様の首元まで延設されている例となっている。
マチ付き構造１４２ａは、実施例１と同様で良い。
【００３１】
縦切開支援部１４３ａは、受け部上部体１４４ａの両端付近に縦方向に設けられた部分であり、破線状に断続した切れ込み、いわゆるミシン目が設けられたものとなっている。指で引っ張ることにより簡単に切れ込みが広がる構造となっている。
縦切開支援部１４３ａで切開した下端が高さ調整開口１４１ａが形成される高さとなっており、当該箇所でマチ構造体１４２ａの外側方向に切れ込みを入れて切開すれば、受け部上部体１４４ａの上端を折り返して下降してゆく。この際、折り返し部分があたかも新たな開口として形成されてゆく。ここでは、縦切開支援部１４３ａを上端から所望の長さ分を切開し、受け部１４０ａの上部の受け部上部体１４４ａを切開にかかる長さ分下方に垂らせば、折り返し部分がその高さまで下降するので、あらたな高さ調整開口１４１ａが形成される。
【００３２】
このように、使用時直前に切開箇所１６０を切開し、縦切開支援部１４３ａを上端から所望の長さ分を切開し、切開した受け部上部体１４４ａを下方に垂らせば、受け部１４０ａの開口を所望の高さに調整した高さ調整開口として、受け部１４０ａを前方に引き出すことができる。
【００３３】
図７は、使用時直前に切開箇所１６０を切開し、縦切開支援部１４３ａを上端から所望の長さ分を切開した様子を示す図である。図７に示すように、縦切開支援部１４３ａを上端から所望の長さ分を切開する。
【００３４】
図８は、図７のように切開した状態において、受け部１４０ａを前方に引き出した様子を示す図である。
【００３５】
以上、実施例２にかかる本発明の介護用エプロン１００ａによれば、使用前には平面状に収めることができ、すべての要素がシート状素材であれば、さらに複数回折り畳む事により小さく薄いものになり、常時携帯に便利なものとして提供できる。また、使用時には縦切開支援部を所望の長さ分を切開することにより、受け部１４０ａの高さを自在に調整した後、前掛け部１１０より前方に引き出して受け部１４０ａのマチ付き構造１４２ａのマチを拡げることにより引き出し袋のように引き出して開口を拡げ、立体的な受け部１４０ａを簡単に形成できる。
【実施例３】
【００３６】
実施例３として、簡単に受け部１４０の拡径を確実とするため、開口維持体を備えた構成例を述べる。なお、以下の説明において実施例１と異なる部分について説明し、実施例１と同様で良い部分の説明は適宜省略する。
【００３７】
図９は、実施例３にかかる介護エプロン１００ｂの構成例を示した図である。
図９に示すように、実施例３にかかる介護エプロン１００ｂは、実施例１と同様、前掛け部１１０、紐部１２０、首受け部１３０、受け部１４０、開口１４１、マチ付き構造１４２、融着部１５０、切開箇所１６０、開口維持体１７０ｂを具備し、全体が撥水性と柔軟性のあるプラスチック樹脂素材で形成されたものとする。
なお、前掛け部１１０、紐部１２０、首受け部１３０、受け部１４０、開口１４１、マチ付き構造１４２、融着部１５０、切開箇所１６０は実施例１に示した構成と同様で良いのでここでの説明は省略する。
【００３８】
実施例３にかかる介護エプロン１００ｂは、開口維持体１７０ｂを備えたものとなっている。
【００３９】
開口維持体１７０ｂは、短冊シート部１７１ｂと締結部１７２ｂを備えたものであり、シート状の状態から簡単にリング体を形成できるものとなっている。
【００４０】
短冊シート部１７１ｂは、受け部の開口周長に略等しい長さの短冊シートである。例えば厚紙で形成され、ある程度の強度は必要である。
【００４１】
締結部１７２ｂは、短冊シートの両端部に形成されており、両者同士を組み合わせることができるものとなっている。締結構造としては限定されず、嵌合、差し込み、接着など多様な手段があり得る。この例では、一方を他方に差し込んで簡単に止める差し込み構造とした。
【００４２】
開口維持体１７０ｂは、短冊シート１７１ｂの端部同士の締結部１７２ｂを組み合わせてリング状の開口維持体を形成し、使用時に、受け部１４０の内部に投入し、受け部１４０の開口１４１が開いた状態を維持せしめるものである。
【００４３】
図１０は、開口維持体１７０ｂをリング状にし、受け部１４０の内部に投入した状態を示した図である。
図１０に示すように、開口維持体１７０ｂ以外は、ポリプロピレンやナイロンなどの柔らかいプラスチック樹脂シート素材であるところ、開口維持体１７０ｂは厚紙などプラスチック樹脂シート素材よりも剛性のあるリング状であり、開口維持体１７０ｂを受け部１４０内に投入することにより、受け部１４０が開口維持体１７０ｂの形状に応じた拡径が確保された状態となる。
【００４４】
以上、本発明の介護用エプロンの構成例における好ましい実施形態を図示して説明してきたが、本発明の技術的範囲を逸脱することなく種々の変更が可能であることは理解されるであろう。
【産業上の利用可能性】
【００４５】
本発明の介護用エプロンは、食べこぼしなどがある幼児、高齢者、障害者などの使用に供する介護用エプロンとして広く適用することができる。
【符号の説明】
【００４６】
１００  介護用エプロン
１１０  前掛け部
１２０  紐部
１３０  首受け部
１４０  受け部
１４１  開口
１４２  マチ付き構造
１４３  縦切開支援部
１５０  融着部
１６０  切開箇所
１７０  開口維持体
１７１  短冊シート
１７２  締結部
【図１】
0006564699.tif 000002
【図２】
0006564699.tif 000003
【図３】
0006564699.tif 000004
【図４】
0006564699.tif 000005
【図５】
0006564699.tif 000006
【図６】
0006564699.tif 000007
【図７】
0006564699.tif 000008
【図８】
0006564699.tif 000009
【図９】
0006564699.tif 000010
【図１０】
0006564699.tif 000011
【図１１】
0006564699.tif 000012